(57)【要約】【課題】簡単な構成で、発泡飲料の泡の消滅を抑えて、しかも便利に楽しく飲用することができる、発泡飲料用容器を提供する。【解決手段】本体１内部には、手前側１ａと奥側１ｂとの間に、これらを仕切る仕切板３が設けられており、本体１の底面１ｃ付近まで延びている。仕切板３の下端は、底面１ｃとの間に或る程度の隙間が設けられている。これにより、手前側１ａと奥側１ｂが底部で連通している。一方、本体１の上端外周面で奥側１ｂの中央寄りに、断面が略コの字状をしたヒンジ４が設けられており、これに略半月板状の蓋５が回動自在に取り付けられている。そして、蓋５を軸６周りに回動させて閉じることにより、本体１の奥側１ｂ上端即ち開口部が密閉される。このとき、本体１内に発泡飲料が注がれていたとすると、奥側１ｂで発生した泡は外気に触れることがないので、この泡は長い間消えずに残ることとなる。【選択図】      図１
2004175370.tif 000002
【特許請求の範囲】
【請求項１】
容器内部の手前側と奥側とを仕切りつつ底部で連通するようにした仕切板と、前記奥側の開口部を開閉する蓋とを備えたことを特徴とする発泡飲料用容器。
【請求項２】
前記蓋を、ヒンジを介して回動自在に設けたことを特徴とする請求項１に記載の発泡飲料用容器。
【請求項３】
前記蓋を閉じる方向に付勢し、該蓋が所定の角度以上開くとこれを開放するようにしてなることを特徴とする請求項２に記載の発泡飲料用容器。
【請求項４】
前記仕切板を、その上端より下端が前記手前側となるように配置したことを特徴とする請求項１〜請求項３のいずれかに記載の発泡飲料用容器。
【発明の詳細な説明】
【０００１】
【発明の属する技術分野】
本発明は、ビールや発泡酒等の発泡飲料を入れて飲むための、ジョッキ，カップ等に代表される発泡飲料用容器に関するものである。
【０００２】
【従来の技術】
従来より、このようなジョッキ，カップ等に代表される発泡飲料用容器に、ビールや発泡酒等の発泡飲料を入れて飲用されている。この場合、容器に飲料を注いだときに沢山の泡立ちが生じ、この泡が発泡飲料の風味を醸し出すものとなっている。
【０００３】
【発明が解決しようとする課題】
しかしながら、このようにして生じた泡は、通常は外気に触れたままであるので、飲料を注いだまま暫く飲まないでいると、急速に泡が消滅して行き、風味が損なわれてしまう。そこで、飲まない間は容器に蓋をしておく方法等が考えられるが、飲用時に一々蓋を取らなくてはならないので不便であり、またこれでは飲用の楽しさが半減してしまう。
【０００４】
本発明は、このような問題点に鑑み、簡単な構成で、発泡飲料の泡の消滅を抑えて、しかも便利に楽しく飲用することができる、発泡飲料用容器を提供することを目的とする。
【０００５】
【課題を解決するための手段】
上記目的を達成するために、本発明では、容器内部の手前側と奥側とを仕切りつつ底部で連通するようにした仕切板と、前記奥側の開口部を開閉する蓋とを備えたことを特徴とする。
【０００６】
また。前記蓋を、ヒンジを介して回動自在に設けたことを特徴とする。さらに、前記蓋を閉じる方向に付勢し、該蓋が所定の角度以上開くとこれを開放するようにしてなることを特徴とする。
【０００７】
また、前記仕切板を、その上端より下端が前記手前側となるように配置したことを特徴とする。
【０００８】
【発明の実施の形態】
以下、本発明の実施の形態について、図面を参照しながら説明する。図１は、本発明の一実施形態に係る発泡飲料用容器の全体構成を示す斜視図である。同図は一例として、ビール用のジョッキに本発明を適用した場合を示しており、蓋が開いた状態を図示している。これは勿論、ジョッキに限定されるものではなく、マグカップやコップ等、発泡飲料の飲用が可能なものであれば何にでも、本発明を適用することができる。同図において、１は本体であり、２はその外周面に設けられた取っ手である。
【０００９】
本体１内部には、手前側１ａと奥側１ｂとの間に、これらを仕切る仕切板３が設けられており、これが本体１の底面１ｃ付近まで延びている。このとき、手前側１ａ上端は主に飲み口として開口し、奥側１ｂ上端は注入口として開口している。但し、飲料の注入は、飲み口，注入口の何れの側から行っても良いし、両側に渡って行っても良い。仕切板３の上端は、後述する蓋を十分に機能させるために、本体１上端周縁部と同一面内に位置することが望ましい。また仕切板３の下端は、底面１ｃとの間に或る程度の隙間が設けられている。これにより、手前側１ａと奥側１ｂが底部で連通している。
【００１０】
一方、本体１の上端外周面で奥側１ｂの中央寄りに、断面が略コの字状をしたヒンジ４が設けられており、これに略半月板状の蓋５が回動自在に取り付けられている。具体的には、ヒンジ４に両端を軸支された軸６に、蓋５の円弧状部中央より延びる突部５ａが、回動自在に枢支されている。この蓋５裏面には、本体１の奥側１ｂ上端と略嵌合するように、概ね蓋の外形に沿って内方より隆起する半月板状の隆起部５ｂが設けられている。
【００１１】
図２は、本実施形態に係る発泡飲料用容器の蓋を閉じた状態を示す斜視図である。同図に示すように、蓋５を軸６周りに回動させて閉じることにより、本体１の奥側１ｂ上端即ち開口部が密閉される。このとき、本体１内に発泡飲料（ここではビール）が注がれていたとすると、奥側１ｂで発生した泡は外気に触れることがないので、少なくともこの泡は長い間消えずに残ることとなる。
【００１２】
図３は、このときの様子を模式的に示す側面縦断面図である。同図において、７は発泡飲料であり、８は奥側１ｂに残っている泡である。また同図に示すように、蓋５の先端直線部には、使用者の口等が当たっても痛くないように、Ｒ面５ｃが設けてある。また図４は、仕切板の配置が異なる場合を模式的に示す側面縦断面図である。同図に示すように、ここでは仕切板３の上端の位置はそのままで、下端の位置が手前側となるように、斜めに配置している。
【００１３】
これにより、飲み口を狭めることなく、蓋のある奥側１ｂの容積を大きくすることができるので、より泡を蓄えることができ、有利となる。またこのようにすると、ジョッキを大きく傾けたときに、飲料が奥側１ｂから出てしまうといった不具合を防止することができる。さらには、仕切板３を平板状とすることにはこだわらずに、例えば破線で示すように手前側に膨れた形状とし、飲み口，注入口それぞれの広さはそのままで、奥側１ｂの容積をより大きくする構成としても良い。
【００１４】
なお、蓋５の材質としては、木製，樹脂製，ガラス製，金属製等、蓋としての機能が果たせるものであれば何でも良い。また、ヒンジ４の組立精度が高く、蓋５がずれにくい構成であれば、蓋５裏面に設けた隆起部５ｂは不用である。さらに、図示しないが、ヒンジ４にバネ等の弾性部材を設けて、蓋５を閉じる方向に付勢し、蓋５を手動で或る程度の角度、つまり飲料を注ぎやすい所定の角度以上まで開けると、開放状態となる構成としても良い。ところで、上記泡８から出る香りを楽しむには、飲用の際に親指等で蓋５を少し開けながら飲むと良い。
【００１５】
その他、蓋５の裏面にゴムシート等の弾性部材を貼付しておけば、蓋５の密閉性が向上するとともに、蓋５を閉じる際の衝撃が緩和される。また、蓋５をヒンジ４を介して取り付けるのではなく、本体１の奥側１ｂに直接はめ込めるようにしても良い。或いは、仕切板３，ヒンジ４，蓋５等を一体化し、一般の容器にワンタッチで取り付けられるようにすれば尚良い。なお本発明は、上述した実施形態の、具体的な構成に限定されるものではない。
【００１６】
さらに本発明は、これまでビールや発泡酒等の発泡飲料用として説明してきたが、これに限定されるものでは勿論なく、例えばコーヒー，紅茶，日本茶等の飲用としても良いのであって、蓋により熱や香りを逃がしにくい容器として使用することができる。
【００１７】
【発明の効果】
以上説明したように、本発明によれば、簡単な構成で、発泡飲料の泡の消滅を抑えて、しかも便利に楽しく飲用することができる、発泡飲料用容器を提供することができる。
【図面の簡単な説明】
【図１】本発明の一実施形態に係る発泡飲料用容器の全体構成を示す斜視図。
【図２】本実施形態に係る発泡飲料用容器の蓋を閉じた状態を示す斜視図。
【図３】本体内に発泡飲料を注いで蓋を閉じたときの様子を模式的に示す側面縦断面図。
【図４】仕切板の配置が異なる場合を模式的に示す側面縦断面図。
【符号の説明】
１    本体
２    取っ手
３    仕切板
４    ヒンジ
５    蓋
６    軸
７    発泡飲料
８    泡
【図１】
2004175370.tif 000003
【図２】
2004175370.tif 000004
【図３】
2004175370.tif 000005
【図４】
2004175370.tif 000006
【手続補正書】
【提出日】平成15年7月14日(2003.7.14)
【手続補正２】
【補正対象書類名】明細書
【補正対象項目名】特許請求の範囲
【補正方法】変更
【補正の内容】
【特許請求の範囲】
【請求項１】
容器内部の手前側と奥側とを仕切りつつ底部で連通するようにした仕切板と、前記奥側の開口部のみを開閉する蓋とを備え、前記仕切板の上端は、容器の上端周縁部と同一面内に位置することを特徴とするビール又は発泡酒用容器。
【請求項２】
前記蓋をヒンジを介して回動自在に設け、更に前記ヒンジに弾性部材を設けて蓋を閉じる方向に付勢し、該蓋が所定の角度以上開くとこれを開放するようにしてなることを特徴とする請求項１に記載のビール又は発泡酒用容器。
【請求項３】
前記仕切板を、その上端より下端が前記手前側となるように配置し、手前側に膨れた形状とする請求項１又は請求項２に記載のビール又は発泡酒用容器。
【請求項４】
前記蓋の表面の前記仕切板近傍をＲ面とし、蓋の裏面には本体の奥側上端と略嵌合するように、概ね蓋の外形に沿って隆起する隆起部を設けたことを特徴とする請求項１から請求項３までのいずれか１項に記載のビール又は発泡酒用容器。
【手続補正３】
【補正対象書類名】明細書
【補正対象項目名】０００５
【補正方法】変更
【補正の内容】
【０００５】
【課題を解決するための手段】
上記目的を達成するために、本発明では、容器内部の手前側と奥側とを仕切りつつ底部で連通するようにした仕切板と、前記奥側の開口部のみを開閉する蓋とを備えたことを特徴とする。


【手続補正４】
【補正対象書類名】明細書
【補正対象項目名】０００６
【補正方法】変更
【補正の内容】
【０００６】
また、前記蓋を、ヒンジを回動自在に設けたことを特徴とする。さらに、前記ヒンジに弾性部材を設けて前記蓋を閉じる方向に付勢し、該蓋が所定の角度以上開くとこれを開放するようにしてなることを特徴とする。
以上